(57)【要約】【課題】音声や映像の途切れを抑制することが可能な船陸間通信回線切替装置を提供する。【解決手段】船陸間通信回線切替装置２０は、船内に設置されたＰＣ３と陸上に設置されたＰＣ３３との間を接続する衛星回線及び携帯電話回線のうち、衛星回線により伝送されるパケットの伝送時間間隔を測定するパケット間隔測定部２２と、パケットの伝送時間間隔が予め定められた閾値以上であることを切替条件として、衛星回線から携帯電話回線に切り替える通信回線切替部２１と、を備える。【選択図】図１
2014036312.tif 000002
【特許請求の範囲】
【請求項１】
船内に設置された装置と陸上に設置された装置との間を接続する第１及び第２の船陸間通信回線のうち、前記第１の船陸間通信回線により伝送されるパケットの伝送時間間隔を測定する伝送時間間隔測定手段と、
前記伝送時間間隔が予め定められた閾値以上であることを切替条件として、前記第１の船陸間通信回線から前記第２の船陸間通信回線に切り替える船陸間通信回線切替手段と、
を備えたことを特徴とする船陸間通信回線切替装置。
【請求項２】
船内に設置された装置と陸上に設置された装置との間を接続する第１及び第２の船陸間通信回線のうち、前記第１の船陸間通信回線により伝送されるパケット群の最終パケットを検出する最終パケット検出手段と、
前記最終パケットを検出したことを切替条件として、前記第１の船陸間通信回線から前記第２の船陸間通信回線に切り替える船陸間通信回線切替手段と、
を備えたことを特徴とする船陸間通信回線切替装置。
【請求項３】
請求項１又は請求項２に記載の船陸間通信回線切替装置であって、
前記第１の船陸間通信回線の通信品質の劣化を検出する通信品質劣化検出手段をさらに備え、
前記船間通信回線切替手段は、前記通信品質劣化検出手段が前記第１の船陸間通信回線の通信品質の劣化を検出したことを条件に、前記切替条件にかかわらず、前記第１の船陸間通信回線から前記第２の船陸間通信回線に切り替えるものであることを特徴とする船陸間通信回線切替装置。
【発明の詳細な説明】
【技術分野】
【０００１】
本発明は、船陸間通信システムに搭載される船陸間通信回線切替装置に関する。
【背景技術】
【０００２】
近年、社会の要求や通信技術の進展に伴い、様々な通信システムが構築されている。その中の一つに船陸間通信システムがある。この船陸間通信システムは、船内に設置された装置（例えばＰＣ：パーソナルコンピュータ）と陸上に設置された装置（例えばＰＣ）との間を船陸間通信回線で接続し、音声や映像等のデータ通信を可能としている。この種の船陸間通信システムにおいては、例えば複数の船陸間通信回線の各々の通信回線状態、通信速度、通信コスト等を比較して最適な船陸間通信回線を選択し、使用中の船陸間通信回線から、選択した他の船陸間通信回線に切り替える船陸間通信回線切替装置を備えている。
【０００３】
なお、本発明に関連する先行技術文献としては、例えば以下のものがある。
【０００４】
特許文献１には、アプリケーションの内容や、通信の状態、利用者の状態、周りの環境条件等に応じて、接続先の無線通信システムを自動的に切り替え可能な無線端末装置が開示されている。
【先行技術文献】
【特許文献】
【０００５】
【特許文献１】特開２００２−１１２３４７号公報
【発明の概要】
【発明が解決しようとする課題】
【０００６】
ところで、船陸間通信システムでは、音声や映像のデータを小さなまとまりに分割して一つ一つ送受信するパケット通信方式が用いられている。このパケット通信方式を用いた場合、例えば船内のＰＣと陸上のＰＣとの通信に途中の回線が占有されることがなくなり、船陸間通信回線を効率良く利用することができる。また、柔軟に経路選択が行えるため、一部に障害が出ても他の回線で代替できるという利点もある。
【０００７】
しかしながら、互いに関連する複数のパケットからなる一群のデータ、例えば音声ストリーミングパケットや映像ストリーミングパケットを送信中に、使用中の船陸間通信回線から、他の船陸間通信回線に切り替えた場合、船陸間通信回線の切替前後で物理回線特性が異なると、伝送速度、伝送遅延が大きく異なるため、パケットの遅延、欠落が発生し易くなる。その結果、音声や映像の途切れが発生する。
【０００８】
そこで、本発明者は、船陸間通信回線の切替タイミングに着目し、本発明をなした。
【０００９】
なお、前記特許文献１には、所定の無線伝送路選択基準に基づいて、最適な無線伝送路を随時選択可能な最適無線伝送路選択手段について記載があるものの、船陸間通信回線の切替前後で物理回線特性が異なることに起因するパケットの遅延、欠落については言及されていない。
【００１０】
本発明は、このような従来の課題を解決するためになされたものであり、音声や映像の途切れを抑制することが可能な船陸間通信回線切替装置を提供することを目的とする。
【課題を解決するための手段】
【００１１】
本発明の船陸間通信回線切替装置は、（１）船内に設置された装置と陸上に設置された装置との間を接続する第１及び第２の船陸間通信回線のうち、前記第１の船陸間通信回線により伝送されるパケットの伝送時間間隔を測定する伝送時間間隔測定手段と、前記伝送時間間隔が予め定められた閾値以上であることを切替条件として、前記第１の船陸間通信回線から前記第２の船陸間通信回線に切り替える船陸間通信回線切替手段と、を備えている。
【００１２】
この構成により、本発明の船陸間通信回線切替装置は、第１の船陸間通信回線により伝送されるパケットの伝送時間間隔が予め定められた閾値以上であることを切替条件に、第１の船陸間通信回線から第２の船陸間通信回線に切り替えるので、互いに関連する複数のパケットからなるパケット群、例えば音声ストリーミングパケットや映像ストリーミングパケットが第１及び第２の船陸間通信回線に亘って送信されるのを抑制することができ、第１及び第２の船陸間通信回線の物理回線特性が異なることに起因するパケットの遅延、欠落の発生を低減できる。その結果、本発明の船陸間通信回線切替装置は、音声や映像の途切れを抑制することができる。
【００１３】
また、本発明の船陸間通信回線切替装置は、（２）船内に設置された装置と陸上に設置された装置との間を接続する第１及び第２の船陸間通信回線のうち、前記第１の船陸間通信回線により伝送されるパケット群の最終パケットを検出する最終パケット検出手段と、前記最終パケットを検出したことを切替条件として、前記第１の船陸間通信回線から前記第２の船陸間通信回線に切り替える船陸間通信回線切替手段と、を備えている。
【００１４】
この構成により、本発明の船陸間通信回線切替装置は、最終パケットを検出したことを切替条件として、第１の船陸間通信回線から第２の船陸間通信回線に切り替えるので、互いに関連する複数のパケットからなるパケット群、例えば音声ストリーミングパケットや映像ストリーミングパケットが第１及び第２の船陸間通信回線に亘って送信されるのを抑制することができ、第１及び第２の船陸間通信回線の物理回線特性が異なることに起因するパケットの遅延、欠落の発生を低減できる。その結果、本発明の船陸間通信回線切替装置は、音声や映像の途切れを抑制することができる。
【００１５】
また、本発明の船陸間通信回線切替装置は、上記（１）又は（２）に記載の船陸間通信回線切替装置であって、前記第１の船陸間通信回線の通信品質の劣化を検出する通信品質劣化検出手段をさらに備え、前記船間通信回線切替手段は、前記通信品質劣化検出手段が前記第１の船陸間通信回線の通信品質の劣化を検出したことを条件に、前記切替条件にかかわらず、前記第１の船陸間通信回線から前記第２の船陸間通信回線に切り替えるものである。
【００１６】
この構成により、本発明の船陸間通信回線切替装置は、通信品質劣化検出手段が第１の船陸間通信回線の通信品質の劣化を検出したことを条件に、前記切替条件にかかわらず、第１の船陸間通信回線から第２の船陸間通信回線に切り替えるので、通信品質が劣化した第１の船陸間通信回線を使用し続ける場合と比較して、音声ストリーミングパケットや映像ストリーミングパケットの欠落の発生を低減できる。その結果、本発明の船陸間通信回線切替装置は、通信品質が劣化した船陸間通信回線を使用し続ける場合よりも、音声や映像の途切れを抑制できる。
【発明の効果】
【００１７】
本発明によれば、音声や映像の途切れを抑制することが可能な船陸間通信回線切替装置を提供できる。
【図面の簡単な説明】
【００１８】
【図１】本発明の第１実施形態における船陸間通信システムの構成を示すブロック図である。
【図２】本発明の第１実施形態におけるパケット間隔測定部の機能説明図である。
【図３】本発明の第１実施形態における船陸間通信システムに搭載された船陸間通信回線切替装置の切り替え手順を示すフローチャートである。
【図４】本発明の第２実施形態における船陸間通信システムの構成を示すブロック図である。
【図５】本発明の第２実施形態における最終パケット検出部の機能説明図である。
【図６】本発明の第２実施形態における船陸間通信システムに搭載された船陸間通信回線切替装置の切り替え手順を示すフローチャートである。
【発明を実施するための形態】
【００１９】
以下、本発明の実施の形態について図面を用いて説明する。
【００２０】
（第１実施形態）
まず、本実施形態における船陸間通信システムの構成について説明する。
【００２１】
図１に示すように、本実施形態における船陸間通信システム１は、船舶側の構成として船内通信ネットワーク２、ＰＣ３及び船舶搭載通信装置１０を備え、陸上側の構成としてネットワーク３０、衛星基地局３１、携帯電話基地局３２及びＰＣ３３を備えている。
【００２２】
以下の説明では、船陸間通信システム１において、ＰＣ３とＰＣ３３との間で音声通話を行う例を挙げて説明する。
【００２３】
ＰＣ３は、例えば、マイクロホン、スピーカ、音声信号処理回路等のハードウェアと、音声通信を行うためのソフトウェアと、を備え、船内通信ネットワーク２を介して船舶搭載通信装置１０に接続されている。
【００２４】
船舶搭載通信装置１０は、衛星通信部１１、陸上通信部１２、船陸間通信回線切替装置２０を備えている。この船舶搭載通信装置１０は、図示を省略したが、ＣＰＵ（Central Processing Unit）、ＲＯＭ（Read Only Memory）、ＲＡＭ（random Access Memory）等を備えたマイクロコンピュータによって構成され、ＲＯＭに予め記憶されたプログラムに従って動作するようになっている。
【００２５】
衛星通信部１１は、衛星回線を介してＰＣ３３と通信するようになっている。すなわち、衛星通信部１１とＰＣ３３との間には、通信衛星４（例えばインマルサット衛星）、衛星基地局３１及びネットワーク３０（例えばインターネット）が設けられている。
【００２６】
陸上通信部１２は、陸上で用いられる陸上無線回線を介してＰＣ３３と通信するようになっている。陸上通信部１２が通信可能な陸上無線回線としては、例えば、携帯電話回線、ＰＨＳ（Personal Handy-phone System）回線、Ｗｉ−Ｆｉ（登録商標）規格に準拠した無線ＬＡＮ（Local Area Network）回線などがある。以下の説明では、陸上通信部１２は、陸上無線回線として携帯電話回線を用いるものとする。
【００２７】
船陸間通信回線切替装置２０は、通信回線切替部２１、パケット間隔測定部２２、閾値記憶部２３、通信回線選択部２４を備えている。
【００２８】
通信回線切替部２１は、船内通信ネットワーク２を介してＰＣ３に接続され、ＰＣ３が出力する音声ストリーミングパケットを入力するようになっている。また、通信回線切替部２１は、パケット間隔測定部２２及び通信回線選択部２４からの信号に基づいて通信回線を切り替えるようになっている。この通信回線切替部２１は、本発明に係る船陸間通信回線切替手段を構成する。
【００２９】
パケット間隔測定部２２は、船内通信ネットワーク２により伝送されるパケットを監視し、パケットの伝送時間間隔を測定するようになっている。また、パケット間隔測定部２２は、閾値記憶部２３が記憶している伝送時間間隔の閾値（以下単に「閾値時間」という。）のデータを読み出し、船内通信ネットワーク２により伝送されるパケットの伝送時間間隔が閾値時間以上である場合、閾値時間が経過したことを示す閾値時間経過信号を通信回線切替部２１に出力するようになっている。このパケット間隔測定部２２は、本発明に係る伝送時間間隔測定手段を構成する。
【００３０】
閾値記憶部２３は、予め設定された閾値時間のデータを記憶するようになっている。この閾値時間は例えば１０秒である。
【００３１】
パケット間隔測定部２２の機能について図２を用いて具体的に説明する。図２には、船内通信ネットワーク２により伝送される音声ストリーミングパケット４０が示されている。音声ストリーミングパケット４０は、第１パケット群４１と第２パケット群４２とを含む。第１パケット群４１は、説明を簡単にするため、第１パケットＰ１から第３パケットＰ３までの３個で構成されているものとしている。また、第２パケット群４２は、第１パケットＰ４と、第２パケットＰ５と、を含む。各パケットは、図示を省略したが、シリアル番号の情報等を含むヘッダと、音声データを含むペイロードとを有する。
【００３２】
図２において、第１パケット群４１の第１パケットＰ１と第２パケットＰ２との間の伝送時間間隔をｔ１、第２パケットＰ２と第３パケットＰ３との間の伝送時間間隔をｔ２、第１パケット群４１の第３パケットＰ３と第２パケット群４２の第１パケットＰ４との間の伝送時間間隔をｔ３としている。
【００３３】
パケット間隔測定部２２は、伝送されるパケットの最後部で計時を開始し、計時開始後から次のパケットが現れるまでに閾値時間が経過した場合、閾値時間経過信号を通信回線切替部２１に出力するものである。
【００３４】
具体的には、パケット間隔測定部２２は、図示の例では伝送時間間隔ｔ１、ｔ２はともに閾値時間よりも小さいので閾値時間経過信号を出力しないが、伝送時間間隔ｔ３は閾値時間よりも大きいので、第３パケットＰ３の最後部で計時を開始してから閾値時間が経過した時点で閾値時間経過信号を通信回線切替部２１に出力することとなる。
【００３５】
図１に戻り、通信回線選択部２４は、衛星通信部１１及び陸上通信部１２が通信可能な通信回線のうち、例えば、通信速度、通信コスト、通信エリア、通信品質等に基づいて、最適な通信回線を選択するようになっている。そして、通信回線選択部２４は、最適な通信回線を示す情報を通信回線切替部２１に出力するようになっている。
【００３６】
さらに、通信回線選択部２４は、現在使用中の通信回線の通信品質が劣化した場合、その旨を示す通信品質劣化信号を通信回線切替部２１に出力するようになっている。ここで、通信回線選択部２４は、例えば、Ｐｉｎｇ信号を現在使用中の通信回線に定期的に送出し、送出したＰｉｎｇ信号に対する正常な応答があった後に正常な応答がなくなったことを条件に、その通信回線の通信品質の劣化を検出するようになっている。また、通信回線選択部２４は、例えば、ＢＥＲ（Bit Error Rate）の測定を行って通信回線の通信品質の劣化を検出するようになっている。なお、通信回線選択部２４は、本発明に係る通信品質劣化手段を構成する。
【００３７】
衛星基地局３１及び携帯電話基地局３２は、それぞれ、陸上に設置され、ゲートウェイ（図示省略）を介してネットワーク３０に接続されている。
【００３８】
ＰＣ３３は、ＰＣ３と同様に、例えば、マイクロホン、スピーカ、音声信号処理回路等のハードウェアと、音声通信を行うためのソフトウェアと、を備え、ネットワーク３０を介して船舶搭載通信装置１０と通信するようになっている。
【００３９】
次に、本実施形態における船陸間通信システム１の動作について、図１に示したブロック構成図を適宜参照しながら図３に示すフローチャートを用いて説明する。
【００４０】
なお、以下の動作説明では、ＰＣ３とＰＣ３３との間の音声通話において、通信回線選択部２４が、衛星回線を当初選択しており、衛星回線よりも通信品質の高い携帯電話回線を検出した後に、通信回線切替部２１が衛星回線から携帯電話回線に切り替える例を挙げて説明する。また、ＰＣ３からＰＣ３３に向かう方向に音声ストリーミングパケットを伝送する通信回線を切り替えの対象とする。
【００４１】
ＰＣ３は、利用者が発声した音声の信号を音声ストリーミングパケットとして船内通信ネットワーク２を介して船舶搭載通信装置１０に送出する（ステップＳ１１）。
【００４２】
前述のように、通信回線切替部２１が衛星回線を選択しているので、船舶搭載通信装置１０は衛星回線による通信を行う（ステップＳ１２）。すなわち、ＰＣ３からの音声ストリーミングパケットは、衛星通信部１１、通信衛星４、衛星基地局３１、ネットワーク３０を経由してＰＣ３３に届く。一方、これとは逆の方向で、ＰＣ３３からの音声ストリーミングパケットは、ＰＣ３に届く。
【００４３】
船舶搭載通信装置１０の船陸間通信回線切替装置２０において、通信回線切替部２１は音声ストリーミングパケットを入力し、パケット間隔測定部２２は音声ストリーミングパケットに含まれるパケットの伝送時間間隔を測定する（ステップＳ１３）。
【００４４】
通信回線切替部２１は、パケット間隔測定部２２から閾値時間経過信号を受信したか否かを判断する（ステップＳ１４）。すなわち、通信回線切替部２１は、パケット間隔測定部２２が測定した伝送時間間隔が閾値時間以上であったか否かを判断する。
【００４５】
ステップＳ１４において、通信回線切替部２１は、パケット間隔測定部２２から閾値時間経過信号を受信したと判断した場合は、現在使用中の通信回線である衛星回線を携帯電話回線に切り替える（ステップＳ１５）。その結果、ＰＣ３から送出された音声ストリーミングパケットは、途切れることなくＰＣ３３に届くこととなる。
【００４６】
通信回線の切り替え後は、船舶搭載通信装置１０は携帯電話回線による通信を行う（ステップＳ１６）。すなわち、ＰＣ３とＰＣ３３とは、互いに、陸上通信部１２、携帯電話基地局３２、ネットワーク３０を介して音声ストリーミングパケットを送受する。
【００４７】
一方、ステップＳ１４において、通信回線切替部２１は、パケット間隔測定部２２から閾値時間経過信号を受信したと判断しなかった場合は、通信回線選択部２４から通信品質劣化信号を受信したか否かを判断する（ステップＳ１７）。
【００４８】
ステップＳ１７において、通信回線切替部２１は、通信回線選択部２４から通信品質劣化信号を受信したと判断した場合は、ステップＳ１５に進む。すなわち、通信回線切替部２１は、現在使用中の衛星回線の通信品質が劣化した場合は、パケット間隔測定部２２から閾値時間経過信号を受信していない場合であっても強制的に衛星回線から携帯電話回線に切り替える。
【００４９】
一方、ステップＳ１７において、通信回線切替部２１は、通信回線選択部２４から通信品質劣化信号を受信したと判断しなかった場合は、ステップＳ１２に戻る。
【００５０】
なお、前述の動作説明では、ＰＣ３からＰＣ３３に向かう方向に音声ストリーミングパケットを伝送する通信回線を切り替えの対象としたが、逆方向の場合でも、ステップＳ１５と同様な処理を通信回線切替部２１に実行させることにより、ＰＣ３３から送出された音声ストリーミングパケットは、途切れることなくＰＣ３に届くこととなる。
【００５１】
以上のように、本実施形態における船陸間通信システム１は、船内に配置されたＰＣ３と陸上に配置されたＰＣ３３との間を接続する通信回線を切り替える船陸間通信回線切替装置２０を有している。この船陸間通信回線切替装置２０は、船舶側のＰＣ３と陸上側のＰＣ３３との間の音声通話において、当初選択の衛星回線（第１の船陸間通信回線）により伝送される音声ストリーミングパケット４０の伝送時間間隔が予め定められた閾値以上であることを切替条件に、当初選択の衛星回線（第１の船陸間通信回線）から携帯電話回線（第２の船陸間通信回線）に切り替えるので、音声ストリーミングパケット４０が衛星回線及び携帯電話回線に亘って送信されるのを抑制することができ、衛星回線及び携帯電話回線の物理回線特性が異なることに起因するパケットの遅延、欠落の発生を低減できる。その結果、本実施形態の船陸間通信回線切替装置２０は、音声の途切れを抑制することができる。
【００５２】
また、本実施形態の船陸間通信回線切替装置２０は、当初選択の衛星回線（第１の船陸間通信回線）の通信品質の劣化を検出したことを条件に、衛星回線により伝送される音声ストリーミングパケット４０の伝送時間間隔が予め定められた閾値以上であることの切替条件にかかわらず、当初選択の衛星回線（第１の船陸間通信回線）から携帯電話回線（第２の船陸間通信回線）に切り替えるので、通信品質が劣化した衛星回線（第１の船陸間通信回線）を使用し続ける場合と比較して、音声ストリーミングパケットの欠落の発生を低減できる。その結果、本実施形態の船陸間通信回線切替装置２０は、通信品質が劣化した衛星回線（船陸間通信回線）を使用し続ける場合よりも、音声の途切れを抑制できる。
【００５３】
（第２実施形態）
図４に示すように、本実施形態における船陸間通信システム５は、第１実施形態における船陸間通信システム１（図１参照）の一部を変更したものである。したがって、第１実施形態と同様な構成には同一の符号を付してその説明を省略する。
【００５４】
船陸間通信システム５は、船舶搭載通信装置５０を備えている。船舶搭載通信装置５０は、船陸間通信回線切替装置６０を備えている。
【００５５】
船陸間通信回線切替装置６０は、通信回線切替部６１、最終パケット検出部６２、通信回線選択部２４を備えている。
【００５６】
通信回線切替部６１は、最終パケット検出部６２及び通信回線選択部２４からの信号に基づいて通信回線を切り替えるようになっている。この通信回線切替部６１は、本発明に係る船陸間通信回線切替手段を構成する。
【００５７】
最終パケット検出部６２は、船内通信ネットワーク２に伝送される音声ストリーミングパケットに含まれるパケット群の最後尾のパケットである最終パケットを検出するようになっている。そして、最終パケット検出部６２は、最終パケットを検出すると最終パケット検出信号を通信回線切替部６１に出力するようになっている。
【００５８】
最終パケット検出部６２の機能について図５を用いて具体的に説明する。図５には、船内通信ネットワーク２により伝送される音声ストリーミングパケット７０が示されている。音声ストリーミングパケット７０は、第１パケット群７１と第２パケット群７２とを含む。第１パケット群７１は、説明を簡単にするため、先頭パケットＰ１１から最終パケットＰ１３までの３個で構成されているものとしている。また、第２パケット群７２は、先頭パケットＰ１４と、それに続くパケットＰ１５と、を含む。
【００５９】
最終パケット検出部６２は、伝送されるパケット群に含まれるパケットから、例えば、個々のパケットに付されたシーケンス番号の情報に基づいて最終パケットを検出するようになっている。
【００６０】
図５において、最終パケット検出部６２は、第１パケット群７１のうちから最終パケットＰ１３を検出すると、最終パケット検出信号を通信回線切替部６１に出力するようになっている。ここで、最終パケット検出部６２は、最終パケットＰ１３の通過後に最終パケット検出信号を出力するのが好ましい。
【００６１】
次に、本実施形態における船陸間通信システム５の動作について説明する。なお、第１実施形態の動作説明において示したステップ（図３参照）と同様なものには同一のステップ番号を付してその説明を省略する。
【００６２】
通信回線切替部６１は、衛星回線の選択中に、最終パケット検出部６２から最終パケット検出信号を受信したか否かを判断する（ステップＳ２１）。すなわち、通信回線切替部６１は、最終パケット検出部６２が船内通信ネットワーク２に伝送されている音声ストリーミングパケットのパケット群に含まれる最終パケットを検出したか否かを判断する。
【００６３】
ステップＳ２１において、通信回線切替部６１は、最終パケット検出部６２から最終パケット検出信号を受信したと判断した場合は、ステップＳ１５に進み、現在使用中の通信回線である衛星回線を携帯電話回線に切り替える。その結果、ＰＣ３から送出された音声ストリーミングパケットは、途切れることなくＰＣ３３に届くこととなる。
【００６４】
一方、ステップＳ２１において、通信回線切替部６１は、最終パケット検出部６２から最終パケット検出信号を受信したと判断しなかった場合は、ステップＳ１７に進み、通信回線選択部２４から通信品質劣化信号を受信したか否かを判断する。
【００６５】
以上のように、本実施形態における船陸間通信システム５は、船内に配置されたＰＣ３と陸上に配置されたＰＣ３３との間を接続する通信回線を切り替える船陸間通信回線切替装置６０を有している。この船陸間通信回線切替装置６０は、船舶側のＰＣ３と陸上側のＰＣ３３との間の音声通話において、最終パケットＰ１３を検出したことを切替条件として、当初選択の衛星回線（第１の船陸間通信回線）から携帯電話回線（第２の船陸間通信回線）に切り替えるので、音声ストリーミングパケット７０が衛星回線及び携帯電話回線に亘って送信されるのを抑制することができ、衛星回線及び携帯電話回線の物理回線特性が異なることに起因するパケットの遅延、欠落の発生を低減できる。その結果、本実施形態の船陸間通信回線切替装置６０は、音声の途切れを抑制することができる。
【００６６】
また、本実施形態の船陸間通信回線切替装置６０は、当初選択の衛星回線（第１の船陸間通信回線）の通信品質の劣化を検出したことを条件に、最終パケットＰ１３を検出したことの切替条件にかかわらず、当初選択の衛星回線（第１の船陸間通信回線）から携帯電話回線（第２の船陸間通信回線）に切り替えるので、通信品質が劣化した衛星回線（第１の船陸間通信回線）を使用し続ける場合と比較して、音声ストリーミングパケットの欠落の発生を低減できる。その結果、本実施形態の船陸間通信回線切替装置６０は、通信品質が劣化した衛星回線（船陸間通信回線）を使用し続ける場合よりも、音声の途切れを抑制できる。
【００６７】
なお、前述の第１実施形態及び第２実施形態では、船陸間通信システム（１，５）において、船舶側のＰＣ３と地上側のＰＣ３３との間で伝送するパケット群として音声ストリーミングパケット（４０，７０）を例に挙げて説明したが、本発明はこれに限定されるものではなく、例えば映像ストリーミングパケットを伝送する場合にも適用できる。
【００６８】
この場合においても、第１実施形態及び第２実施形態と同様に、衛星回線及び携帯電話回線の物理回線特性が異なることに起因するパケットの遅延、欠落の発生を低減できるので、映像の途切れを抑制することができる。
【００６９】
また、第１実施形態及び第２実施形態と同様に、通信品質が劣化した衛星回線（第１の船陸間通信回線）を使用し続ける場合と比較して、映像ストリーミングパケットの欠落の発生を低減できるので、通信品質が劣化した衛星回線（船陸間通信回線）を使用し続ける場合よりも、映像の途切れを抑制できる。
【産業上の利用可能性】
【００７０】
以上のように、本発明に係る船陸間通信回線切替装置は、音声や映像の途切れを抑制することができるという効果を有し、船陸間通信システムに搭載される船陸間通信回線切替装置等として有用である。
【符号の説明】
【００７１】
１、５  船陸間通信システム
２  船内通信ネットワーク
３、３３  ＰＣ
４  通信衛星
１０、５０  船舶搭載通信装置
１１  衛星通信部
１２  陸上通信部
２０、６０  船陸間通信回線切替装置
２１、６１  通信回線切替部（船陸間通信回線切替手段）
２２  パケット間隔測定部（伝送時間間隔測定手段）
２３  閾値記憶部
２４  通信回線選択部（通信品質劣化手段）
３０  ネットワーク
３１  衛星基地局
３２  携帯電話基地局
４０、７０  音声ストリーミングパケット
４１、７１  第１パケット群
４２、７２  第２パケット群
６２  最終パケット検出部（最終パケット検出手段）
【図１】
2014036312.tif 000003
【図２】
2014036312.tif 000004
【図３】
2014036312.tif 000005
【図４】
2014036312.tif 000006
【図５】
2014036312.tif 000007
【図６】
2014036312.tif 000008